(57)【要約】  本発明は、移動局と、移動局とサブフレーム単位で通信する複数の基地局と、を有する無線通信システムにおいて複数の基地局の各々が、特定のサブフレームにおいて下り送信信号を制限することで下り送信電力を低減する場合に適用される。ここで、移動局は、ＣＱＩ測定を行うサブフレームを２種類指定できない移動局である場合、基地局が送信した特定のサブフレームを認識せずに、基地局が形成するセルにおける１種類のＣＱＩを算出し、算出したＣＱＩ値を基地局に送信する。複数の基地局の各々は、移動局からＣＱＩ値を受信した場合、移動局がＣＱＩ測定を行うサブフレームを２種類指定できない移動局であれば、ＣＱＩ値を２種類に補正する。
2013118409.tif 000002
【特許請求の範囲】
【請求項１】
移動局と、前記移動局とサブフレーム単位で通信する複数の基地局と、を有してなる無線通信システムであって、
前記複数の基地局の各々が、特定のサブフレームにおいて下り送信信号を制限することで下り送信電力を低減する場合、
前記移動局は、
ＣＱＩ測定を行うサブフレームを２種類指定できない移動局であり、
前記基地局が送信した前記特定のサブフレームを認識せずに、該基地局が形成するセルにおける１種類のＣＱＩを算出し、算出したＣＱＩ値を該基地局に送信し、
前記複数の基地局の各々は、
前記移動局からＣＱＩ値を受信した場合、該移動局がＣＱＩ測定を行うサブフレームを２種類指定できない移動局であれば、該ＣＱＩ値を２種類に補正する、無線通信システム。
【請求項２】
前記複数の基地局の各々は、
前記ＣＱＩ測定を行うサブフレームを２種類指定できない移動局からＣＱＩ値を受信した場合、
自局に隣接する隣接基地局から送信される通常のサブフレームの干渉と、隣接基地局から送信される特定のサブフレームの干渉と、の比、および通常のサブフレームと特定のサブフレームのサブフレーム数の比に基づいて、前記ＣＱＩ値の補正に用いるパラメータを決定する、請求項１に記載の無線通信システム。
【請求項３】
前記複数の基地局の各々は、
自局に隣接する隣接基地局から送信される通常のサブフレームの干渉と、隣接基地局から送信される特定のサブフレームの干渉と、の比を算出する際に、
隣接基地局から、隣接基地局の通常のサブフレームの送信電力情報、および隣接基地局の特定のサブフレームの送信電力情報を、基地局間通信インターフェースを用いて通知してもらう、請求項２に記載の無線通信システム。
【請求項４】
前記複数の基地局の各々は、
自局に隣接する隣接基地局から送信される通常のサブフレームの干渉と、隣接基地局から送信される特定のサブフレームの干渉と、の比を算出する際に、
自局にて隣接基地局の通常のサブフレームの送信電力、および隣接基地局の特定のサブフレームの送信電力を測定する、請求項２に記載の無線通信システム。
【請求項５】
前記複数の基地局の各々は、
自局に隣接する隣接基地局から送信される通常のサブフレームの干渉と、隣接基地局から送信される特定のサブフレームの干渉と、の比を算出する際に、
自局と通信している１つ、あるいは複数の移動局に対して、隣接基地局の通常のサブフレームの送信電力、および隣接基地局の特定のサブフレームの送信電力、あるいは送信電力の含まれる測定値を測定させ、自局に報告させる、請求項２に記載の無線通信システム。
【請求項６】
前記複数の基地局の各々は、
自局に隣接する隣接基地局から送信される通常のサブフレームの干渉と、隣接基地局から送信される特定のサブフレームの干渉と、の比を、定数として予め算出、あるいは設定しておく、請求項２に記載の無線通信システム。
【請求項７】
前記複数の基地局の各々は、
前記移動局がＣＱＩ測定を行うサブフレームを２種類指定できない移動局であれば、該ＣＱＩ値を２種類に補正する際に、
前記ＣＱＩ値を当該移動局に対する下り信号の受信成功・不成功に応じてさらに補正する場合、
通常のサブフレームに対しては、通常のサブフレームのＣＱＩ相当に補正されたＣＱＩ値を当該移動局に対する通常のサブフレームの下り信号の受信成功・不成功に応じてさらに補正し、
特定のサブフレームに対しては、特定のサブフレームのＣＱＩ相当に補正されたＣＱＩ値を当該移動局に対する特定のサブフレームの下り信号の受信成功・不成功に応じてさらに補正する、請求項１に記載の無線通信システム。
【請求項８】
移動局とサブフレーム単位で通信する基地局であって、
特定のサブフレームにおいて下り送信信号を制限することで下り送信電力を低減する場合、前記移動局からＣＱＩ値を受信した場合、該移動局がＣＱＩ測定を行うサブフレームを２種類指定できない移動局であれば、該ＣＱＩ値を２種類に補正する制御部を有する、基地局。
【請求項９】
移動局とサブフレーム単位で通信する基地局による通信方法であって、
特定のサブフレームにおいて下り送信信号を制限することで下り送信電力を低減する場合、前記移動局からＣＱＩ値を受信した場合、該移動局がＣＱＩ測定を行うサブフレームを２種類指定できない移動局であれば、該ＣＱＩ値を２種類に補正する、通信方法。
【発明の詳細な説明】
【技術分野】
【０００１】
本発明は、無線通信システム、基地局、通信方法に関する。
【背景技術】
【０００２】
LTE（Long  Term  Evolution）やLTE-Advancedの無線通信システムでは、図１に示すように、ある周波数帯域のMacro  eNB（マクロ基地局）10が形成するMacro  Cell（マクロセル）内に、同じ周波数帯域のPico  eNB（ピコ基地局）20が形成するPico  Cell（ピコセル）が置かれることがある。【０００３】
また、最近は、LTE-Advanced（3GPP  LTE  Rel-10）において、同一周波数帯域における、Macro  Cellと、そのMacro  Cell内に置かれたPico  Cellと、のCell間の干渉を低減するために、ABS（Almost  Blank  Subframe）が導入されている（非特許文献１）。【０００４】
ABSは、ほぼブランクのSubframe（サブフレーム）であり、Macro  eNB10は、いくつかのNormal  Subframe（通常のサブフレーム）をABSに置き換えて送信する。なお、ABSでは、少なくともPDSCH（Pysical  Downlink  Shared  Channel）は送信されない。【０００５】
ところで、図１において、Pico  Cellに在圏するUE（User  Equipment：移動局）30-1は、Pico  Cellにおける下り伝搬路品質情報であるCQI（Channel  Quality  Indicator）を算出し、算出したCQI値をPico  eNB20に報告する。また、Macro  Cellに在圏するUE30-1,30-2は、Macro  CellにおけるCQIを算出し、算出したCQI値をMacro  eNB10に報告する。【０００６】
Macro  eNB10およびPico  eNB20は、UEから報告されたCQI値を基に、そのUEに対してPDSCHなどの下り信号の無線リソースの割当を行う。【０００７】
UE30-1がRel-10のABSに対応してCQI測定を行うSubframeを2種類指定可能である場合（以下、Rel-10のUEと称する）、Pico  eNB20からRel-10のUE30-1に対してCQI測定を行うSubframeを2種類指定する。それにより、Rel-10のUE30-1は、Pico  eNB20がPico  Cellに送信したSubframeのCQIとして、Macro  Cellからの干渉の小さなSubframeと干渉の大きなSubframeと、の2種類のCQIの算出を行う。【０００８】
具体的には、図２の例では、Macro  eNB10がMacro  Cellに送信した#1,#3,#5,#9のSubframeは、ABSであり、Macro  CellからPico  Cellへの干渉は小さく、#0,#2,#4,#6,#7,#8のSubframeは、Normal  Subframeであり、Macro  CellからPico  Cellへの干渉は大きい。ここで、Rel-10のUE30-1は、Pico  eNB20がPico  Cellに送信した#1,#3,#5,#9のSubframeと、#0,#2,#4,#6,#7,#8のSubframeと、の2種類のCQIを算出する。なお、Pico  eNB20からRel-10のUE30-1に対してCQI測定を行うSubframeの指定は、#1,#3,#5,#9のSubframeの一部、および#0,#2,#4,#6,#7,#8のSubframeの一部であることも許容される。Rel-10のUE30-1は、指定された2種類のSubframeから2種類のCQIを算出する。【０００９】
この場合、Pico  eNB20は、Rel-10のUE30-1から報告された2種類のCQI値のうち、Macro  Cellからの干渉の小さな#1,#3,#5,#9のSubframe、あるいはその一部のSubframeを用いて算出されたCQI値のみを用いて、Macro  CellのABS、すなわち#1,#3,#5,#9のSubframe  の下り信号の無線リソースをRel-10のUE30-1に割り当てることができる。【００１０】
こうすることで、Pico  eNB20は、Rel-10のUE30-1に対して、Macro  Cellからの干渉の小さなSubframeに、そのSubframeのCQI値に基づく最適な下り信号の無線リソースを割り当てることができる。【００１１】
その一方、Pico  Cellに在圏するUE30-1がRel-10のABSに対応しておらず、CQI測定を行うSubframeを1種類しか指定できない場合（以下、Rel-8/9のUEと称する）、Pico  eNB20は、Rel-8/9のUE30-1に対してCQI測定を行うSubframeを1種類しか指定することができない。その結果、Rel-8/9のUE30-1は、Pico  eNB20がPico  Cellに送信したSubframeのCQIとして、1種類のCQIの算出を行う。【００１２】
具体的には、図３の例では、Macro  eNB10がMacro  Cellに送信した#1,#3,#5,#9のSubframeは、ABSであり、Macro  CellからPico  Cellへの干渉は小さく、#0,#2,#4,#6,#7,#8のSubframeは、Normal  Subframeであり、Macro  CellからPico  Cellへの干渉は大きい。それにもかかわらず、Rel-8/9のUE30-1は、2種類のSubframeで異なる  Macro  Cellからの干渉を考慮せず、#0〜#9全てのSubframeに対して1種類のCQIの算出を行う。【００１３】
この場合、Pico  eNB20は、Rel-8/9のUE30-1に下り信号の無線リソースを割り当てる際に、Macro  Cellからの干渉を考慮できず、Rel-8/9のUE30-1から報告された1種類のCQI値を用いて全Subframeに対して下り信号の無線リソースの割り当てを行うことになる。【００１４】
ここで、一般的にRel-8/9のUE30-1から報告される1種類のCQI値は、Macro  CellからPico  Cellへの干渉の大きなSubframeと、Macro  CellからPico  Cellへの干渉の小さなSubframeと、の両方から算出される。そのため、同じ位置にいるRel-10のUE  がMacro  CellからPico  Cellへの干渉の小さなSubframeのみから算出し、報告するCQI値よりも小さくなる。【００１５】
その結果、Pico  eNB20は、Macro  CellからPico  Cellへの干渉の小さなSubframeにおけるRel-8/9のUE30-1のCQIを、同じ位置にいるRel-10のUEのCQIよりも劣化していると判断し、そのCQIに応じて、次数の低いModulation  Scheme（例えば、16QAMではなくQPSKを割り当てる）や次数の低いCoding  RateをRel-8/9のUE30-1に割り当ててしまう。そのため、Rel-8/9のUE30-1は、Pico  Cellの下り信号の無線リソースを、同じ位置にいるRel-10のUEよりも多く消費し、無線通信システムの容量の減少を引き起こす。【００１６】
ここで、図１〜図３に示した例では、Macro  eNB10のみがABSを送信することを想定していたが、Macro  eNB10だけでなく、Pico  eNB20もABSを送信することも考えられる。【００１７】
そこで、図４に示した無線通信システムにおいて、Macro  eNB10だけでなく、Pico  eNB20もABSを送信する場合を考える。【００１８】
ここで、図４において、Pico  Cellに在圏するUE30-3は、Pico  CellにおけるCQIを算出し、算出したCQI値をPico  eNB20に報告する。また、Macro  Cellに在圏するUE30-4は、Macro  CellにおけるCQIを算出し、算出したCQI値をMacro  eNB10に報告する。【００１９】
Pico  Cellに在圏するUE30-3がRel-10のUEである場合、Pico  eNB20からRel-10のUE30-3に対してCQI測定を行うSubframeを2種類指定する。それにより、Rel-10のUE30-3は、Pico  eNB20がPico  Cellに送信したSubframeのCQIとして、Macro  Cellからの干渉の小さなSubframeと干渉の大きなSubframeと、の2種類のCQIの算出を行う。【００２０】
具体的には、図５の例では、Macro  eNB10がMacro  Cellに送信した#1,#3,#5,#9のSubframeは、ABSであり、Macro  CellからPico  Cellへの干渉は小さく、#0,#2,#4,#6,#7,#8のSubframeは、Normal  Subframeであり、Macro  CellからPico  Cellへの干渉は大きい。ここで、Rel-10のUE30-3は、Pico  eNB20がPico  Cellに送信した#1,#3,#5,#9のSubframeと、#0,#2,#4,#6,#7,#8のSubframeと、の2種類のCQIを算出する。なお、Pico  eNB20からRel-10のUE30-3に対してCQI測定を行うSubframeの指定は、#1,#3,#5,#9のSubframeの一部、および#0,#2,#4,#6,#7,#8のSubframeの一部であることも許容される。Rel-10のUE30-3は、指定された2種類のSubframeから2種類のCQIを算出する。【００２１】
この場合、Pico  eNB20は、Rel-10のUE30-3から報告された2種類のCQI値のうち、Macro  Cellからの干渉の小さな#1,#3,#5,#9のSubframe、あるいはその一部のSubframeを用いて算出されたCQI値のみを用いて、Macro  CellのABS、すなわち#1,#3,#5,#9のSubframe  の下り信号の無線リソースをRel-10のUE30-3に割り当てることができる。【００２２】
こうすることで、Pico  eNB20は、Rel-10のUE30-3に対して、Macro  Cellからの干渉の小さなSubframeに、そのSubframeのCQI値に基づく最適な下り信号の無線リソースを割り当てることができる。【００２３】
また、Macro  Cellに在圏するUE30-4がRel-10のUEである場合、Macro  eNB10からRel-10のUE30-4に対してCQI測定を行うSubframeを2種類指定することで、Rel-10のUE30-4は、Macro  eNB10がMacro  Cellに送信したSubframeのCQIとして、Pico  Cellからの干渉の小さなSubframeと干渉の大きなSubframeと、の2種類のCQIの算出を行う。Pico  CellからMacro  Cellへの干渉が大きい場合とは、例えば、Macro  Cellに在圏するUE30-4がPico  Cellの近傍にいた場合や、Pico  eNB20の送信電力が大きい場合などが考えられる。【００２４】
具体的には、図６の例では、Pico  eNB20がPico  Cellに送信した#0,#2,#4,#6,#7,#8のSubframeは、ABSであり、Pico  CellからMacro  Cellへの干渉は小さく、#1,#3,#5,#9のSubframeは、Normal  Subframeであり、Pico  CellからMacro  Cellへの干渉は大きい。ここで、Rel-10のUE30-4は、Macro  eNB10がMacro  Cellに送信した#0,#2,#4,#6,#7,#8のSubframeと、#1,#3,#5,#9のSubframeと、の2種類のCQIを算出する。なお、Macro  eNB10からRel-10のUE30-4に対してCQI測定を行うSubframeの指定は、#1,#3,#5,#9のSubframeの一部、および#0,#2,#4,#6,#7,#8のSubframeの一部であることも許容される。Rel-10のUE30-4は、指定された2種類のSubframeから2種類のCQIを算出する。【００２５】
この場合、Macro  eNB10は、Rel-10のUE30-4から報告された2種類のCQI値のうち、Pico  Cellからの干渉の小さな#0,#2,#4,#6,#7,#8のSubframe、あるいはその一部のSubframeを用いて算出されたCQI値のみを用いて、Pico  CellのABS、すなわち#0,#2,#4,#6,#7,#8のSubframe  の下り信号の無線リソースをRel-10のUE30-4に割り当てることができる。【００２６】
こうすることで、Macro  eNB10は、Rel-10のUE30-4に対して、Pico  Cellからの干渉の小さなSubframeに、そのSubframeのCQI値に基づく最適な下り信号の無線リソースを割り当てることができる。【００２７】
その一方、Macro  Cellに在圏するUE30-4がRel-8/9のUEである場合、Macro  eNB10は、Rel-8/9のUE30-4に対してCQI測定を行うSubframeを1種類しか指定することができない。その結果、Rel-8/9のUE30-4は、Macro  eNB10がMacro  Cellに送信したSubframeのCQIとして、1種類のCQIの算出を行う。【００２８】
具体的には、図７の例では、Pico  eNB20がPico  Cellに送信した#0,#2,#4,#6,#7,#8のSubframeは、ABSであり、Pico  CellからMacro  Cellへの干渉は小さく、#1,#3,#5,#9のSubframeは、Normal  Subframeであり、Pico  CellからMacro  Cellへの干渉は大きい。それにもかかわらず、Rel-8/9のUE30-4は、2種類のSubframeで異なる  Macro  Cellからの干渉を考慮せず、#0〜#9全てのSubframeに対して1種類のCQIの算出を行う。【００２９】
この場合、Macro  eNB10は、Rel-8/9のUE30-4に下り信号の無線リソースを割り当てる際に、Pico  Cellからの干渉を考慮できず、Rel-8/9のUE30-4から報告された1種類のCQI値を用いて全Subframeに対して下り信号の無線リソースの割り当てを行うことになる。【００３０】
ここで、一般的にRel-8/9のUE30-4から報告される1種類のCQI値は、Pico  CellからMacro  Cellへの干渉の大きなSubframeと、Pico  CellからMacro  Cellへの干渉の小さなSubframeと、の両方から算出されるため、同じ位置にいるRel-10のUE  がPico  CellからMacro  Cellへの干渉の小さなSubframeのみから算出し、報告するCQI値よりも小さくなる。【００３１】
その結果、Macro  eNB10は、Pico  CellからMacro  Cellへの干渉の小さなSubframeにおけるRel-8/9のUE30-4のCQIを、同じ位置にいるRel-10のUEのCQIよりも劣化していると判断し、そのCQIに応じて、次数の低いModulation  Schemeや次数の低いCoding  RateをRel-8/9のUE30-4に割り当ててしまう。そのため、Rel-8/9のUE30-4は、Macro  Cellの下り信号の無線リソースを、同じ位置にいるRel-10のUEよりも多く消費し、無線通信システムの容量の減少を引き起こす。
【先行技術文献】
【非特許文献】
【００３２】
【非特許文献１】3GPP  TS  36.300,  V10.6.0  (2011-12)
【発明の開示】
【発明が解決しようとする課題】
【００３３】
関連する無線通信システムにおいては、下位互換性が保証されていることから、上述したように、CQI測定を行うSubframeを2種類指定可能なRel-10以降のUEと、CQI測定を行うSubframeを2種類指定できないRel-8/9のUEと、が混在するため、Rel-8/9のUEがPico  CellやMacro  Cellの下り信号の無線リソースをRel-10以降のUEより多く消費し、無線通信システムの容量が減少してしまうという課題がある。【００３４】
そこで、本発明の目的は、上述した課題を解決することができる無線通信システム、基地局、通信方法を提供することにある。
【課題を解決するための手段】
【００３５】
本発明の無線通信システムは、
移動局と、前記移動局とサブフレーム単位で通信する複数の基地局と、を有してなる無線通信システムであって、
前記複数の基地局の各々が、特定のサブフレームにおいて下り送信信号を制限することで下り送信電力を低減する場合、
前記移動局は、
ＣＱＩ測定を行うサブフレームを２種類指定できない移動局であり、
前記基地局が送信した前記特定のサブフレームを認識せずに、該基地局が形成するセルにおける１種類のＣＱＩを算出し、算出したＣＱＩ値を該基地局に送信し、
前記複数の基地局の各々は、
前記移動局からＣＱＩ値を受信した場合、該移動局がＣＱＩ測定を行うサブフレームを２種類指定できない移動局であれば、該ＣＱＩ値を２種類に補正する。【００３６】
本発明の基地局は、
移動局とサブフレーム単位で通信する基地局であって、
特定のサブフレームにおいて下り送信信号を制限することで下り送信電力を低減する場合、前記移動局からＣＱＩ値を受信した場合、該移動局がＣＱＩ測定を行うサブフレームを２種類指定できない移動局であれば、該ＣＱＩ値を２種類に補正する制御部を有する。【００３７】
本発明の通信方法は、
移動局とサブフレーム単位で通信する基地局による通信方法であって、
特定のサブフレームにおいて下り送信信号を制限することで下り送信電力を低減する場合、前記移動局からＣＱＩ値を受信した場合、該移動局がＣＱＩ測定を行うサブフレームを２種類指定できない移動局であれば、該ＣＱＩ値を２種類に補正する。
【発明の効果】
【００３８】
本発明によれば、特定の移動局が下り信号の無線リソースをより多く消費し、無線通信システムの容量が減少してしまうことを回避することができるという効果が得られる。
【図面の簡単な説明】
【００３９】
【図１】LTE/LTE-Advancedの無線通信システムの一例を示す図である。
【図２】図１に示した無線通信システムにおけるMacro  CellとPico  Cellとの間の干渉の状況を説明する図である。
【図３】図１に示した無線通信システムにおけるMacro  CellとPico  Cellとの間の干渉の状況を説明する図である。
【図４】LTE/LTE-Advancedの無線通信システムの他の例を示す図である。
【図５】図４に示した無線通信システムにおけるMacro  CellとPico  Cellとの間の干渉状況を説明する図である。
【図６】図４に示した無線通信システムにおけるMacro  CellとPico  Cellとの間の干渉状況を説明する図である。
【図７】図４に示した無線通信システムにおけるMacro  CellとPico  Cellとの間の干渉状況を説明する図である。
【図８】本実施形態に係るPico  eNBの構成を示すブロック図である。
【図９】本実施形態に係るMacro  eNBの構成を示すブロック図である。
【図１０】本実施形態に係るUEの構成を示すブロック図である。
【図１１】本実施形態に係るダウンリンクのスケジューリング動作を説明するシーケンス図である。
【発明を実施するための形態】
【００４０】
以下に、本発明を実施するための形態について図面を参照して説明する。
【００４１】
本実施形態の無線通信システムは、全体構成自体は図１または図４に示したものと同様であるが、Pico  eNB20およびMacro  eNB10に新規の機能を追加している。
【００４２】
そこで、以下では、Pico  eNB20およびMacro  eNB10の構成および動作について説明する。また、以下では、図１に示すようにPico  eNB20が配置されていることを前提とする。
【００４３】
図８に示すように、Pico  eNB20は、通信部21と、記憶部22と、制御部23と、を有している。
【００４４】
通信部21は、Pico  eNB20が形成するPico  Cellに在圏するUE30-1とSubframe単位で無線通信を行う。
【００４５】
また、Pico  Cellに在圏するUE30-1は、通信部21が送信したSubframeを用いてCQIを算出して報告してくるため、通信部21は、そのCQI値を受信する。CQIは、UEにとって既知のダウンリンクのリファレンス信号であるCRS（Cell-specific  Reference  Signal）、あるいはCSI-RS（Channel  State  Information  Reference  Signal）などから算出された下り伝搬路品質情報である。CQI算出方法に制限はない。例えば、SINR（Signal-to-Interference  and  Noise  power  Ratio：信号対雑音干渉電力比）に基づいてCQIを算出する方法が挙げられる。
【００４６】
制御部23は、UE30-1からCQI値を受信した場合、UE30-1がABSに非対応のRel-8/9のUE（CQI測定を行うSubframeを2種類指定できないUE）あれば、そのCQI値を補正する。なお、UE30-1がRel-8/9またはRel-10のどちらのUEであるかは、UE30-1から周知の方法でPico  eNB20に通知することができる。
【００４７】
制御部23は、CQI値の補正に用いる補正パラメータを決定・変更する。この補正パラメータは、例えば、後述するαであり、ABS率である。
【００４８】
記憶部22は、制御部23が決定・変更した補正パラメータ等を記憶する。この補正パラメータは、例えば、後述するαであり、ABS率である。
【００４９】
図９に示すように、Macro  eNB10は、通信部11と、記憶部12と、制御部13と、を有している。
【００５０】
通信部11は、Macro  eNB10が形成するMacro  Cellに在圏するUE30-2とSubframe単位で無線通信を行う。
【００５１】
また、UE30-2は、通信部11が送信したSubframeを用いてCQIを算出して報告してくるため、通信部11は、そのCQI値を受信する。
【００５２】
制御部13は、UE30-2からCQI値を受信した場合、UE30-2がABSに非対応のRel-8/9のUE（CQI測定を行うSubframeを2種類指定できないUE）あれば、そのCQI値を補正する。なお、UE30-1,30-2がRel-8/9またはRel-10のどちらのUEであるかは、UE30-2から周知の方法でMacro  eNB10に通知することができる。
【００５３】
制御部13は、CQI値の補正に用いる補正パラメータを決定・変更する。この補正パラメータは、例えば、後述するαであり、ABS率である。
【００５４】
記憶部12は、制御部13が決定・変更した補正パラメータ等を記憶する。この補正パラメータは、例えば、後述するαであり、ABS率である。
【００５５】
図１０では、ABSに非対応のRel-8/9のUE30-1,30-2の構成について説明する。
【００５６】
図１０に示すように、UE30-1,30-2は、受信部４０と、制御部４１と、送信部４２と、を有している。
【００５７】
受信部４０は、ダウンリンクのリファレンス信号（ＲＳ：  Reference  Signal）を受信する。
【００５８】
制御部４１は、受信したリファレンス信号に基づき、CQIを算出する。
【００５９】
送信部４２は、CQIをMacro  eNB10またはPico  eNB20に、アップリンク制御チャネル(PUCCH)またはアップリンク共有チャネル（PUSCH）を用いて報告する（CQI  report）。
【００６０】
また、受信部４０は、送信部４２が報告するCQIの値に基づいて、Macro  eNB10またはPico  eNB20によって補正されたCQIの値を用いて割当てられたダウンリンクのリソースに関するリソース割当情報を受信する。また、受信部４０は、割当てられたダウンリンクのリソースを用いて、ダウンリンクのデータをMacro  eNB10またはPico  eNB20から受信する。
【００６１】
さらに送信部４２は、データ受信の成功/不成功（再送要求）をMacro  eNB10またはPico  eNB20に、アップリンク制御チャネル(PUCCH)またはアップリンク共有チャネル（PUSCH）を用いて報告する（ACK（Acknowledgment）/NACK（Negative  Acknowledgment））。
【００６２】
以下、CQI値をSINR値から算出する場合の具体的な補正方法について説明する。ここでは、Pico  eNB20が、Pico  cellに在圏するUE30-1から報告されたSINR値を補正する場合の補正方法を例に挙げて説明する。
【００６３】
（A）UEにおけるSINRの算出方法
（A-1）CQI測定を行うSubframeを2種類指定可能なRel-10のUEの場合
Pico  cellに在圏するUE30-1がRel-10のUEである場合、Rel-10のUE30-1は、Pico  eNB20がPico  Cellに送信したSubframeを、Macro  Cellからの干渉の大きなSubframe（Macro  CellのNormal  Subframe部分に対応するSubframe。以下、SubframeNormalと称す）と、干渉の小さなSubframe（Macro  CellのABS部分に対応するSubframe。以下、SubframeABSと称す）と、の2種類のSINRを算出する。
【００６４】
具体的には、Rel-10のUE30-1は、SubframeNormalのSINRNormalを、次のように算出する。
【００６５】
【数１】
2013118409.tif 000003
【００６６】
ここで、iはSubframe番号、RSSINormal(i)はSubframeNormal  iにおけるRSSI  (Received  signal  strength  indicator:  希望波受信電力)、ISSINormal(i)はSubframeNormal  iに至るまでのSubframeNormalの平均ISSI（Interference  signal  strength  indicator：干渉波受信電力）を表す。平均ISSIの算出方法は、特に限定はなく、例えば、忘却係数による移動平均を行う方法が挙げられる。
【００６７】
また、Rel-10のUE30-1は、SubframeABSのSINRABSを、次のように算出する。
【００６８】
【数２】
2013118409.tif 000004
【００６９】
ここで、iはSubframe番号、RSSIABS(i)はSubframeABS  iにおけるRSSI、ISSIABS(i)はSubframeABS  iに至るまでのSubframeABSの平均ISSIを表す。
【００７０】
Rel-10のUE30-1は、上記で算出したSINRNormal(i)、SINRABS(i)の2つの値を、CQI値としてPico  eNB20に報告する。Pico  eNB20は、このうちSINRABS(i)の値を用いて、Rel-10のUE30-1に対して、Macro  Cellからの干渉の小さなSubframe（SubframeABS）に、Modulation  SchemeやCoding  Rateを含む最適な下り信号の無線リソースを割り当てる。
【００７１】
なお、Pico  eNB20のSubframeの送信電力は、SubframeNormal、SubframeABSを問わずほぼ一定であるため、一般的には以下の関係式が成り立つ。
【００７２】
【数３】
2013118409.tif 000005
【００７３】
（A-2）CQI測定を行うSubframeを2種類指定できないRel-8/9のUEの場合
Pico  cellに在圏するUE30-1がRel-8/9のUEである場合、Rel-8/9のUE30-1は、次のように、1種類のSINRを算出する。
【００７４】
【数４】
2013118409.tif 000006
【００７５】
ここで、iはSubframe番号、RSSI(i)はSubframe  iにおけるRSSI、ISSI(i)はSubframe  iに至るまでのSubframeの平均ISSIを表す。
【００７６】
Rel-8/9のUE30-1は、上記で算出したSINR(i)の1つの値を、CQI値としてPico  eNB20に報告する。
【００７７】
（B）Pico  eNBにおけるRel-8/9のUE  に対するSINR値の補正方法
（B-1）SINR値の補正方法
上述のように、Rel-8/9のUE30-1は、SINR(i)の1つの値を送信する。
【００７８】
ここで、Rel-8/9のUE30-1に対しても、SubframeNormalとSubframeABSに対して、それぞれ、RSSINormal(i)、ISSINormal(i)、SINRNormal(i)、RSSIABS(i)、ISSIABS(i)、SINRABS(i)を想定したとする。この場合、一般的には以下の関係式が成り立つ。
【００７９】
【数５】
2013118409.tif 000007
【００８０】
【数６】
2013118409.tif 000008
【００８１】
ここで、rは、Macro  eNB10がMacro  cellに送信した総Subframeに占めるABSの比率であるABS率（0≦ｒ＜1）を表す。ABS率は、周知の方法でPico  eNB20、およびMacro  eNB10に通知することができる。
【００８２】
さらにISSINormal(i)とISSIABS(i)との関係式として以下を導入する。
【００８３】
【数７】
2013118409.tif 000009
【００８４】
ここで、αはSubframeNormalのISSIに対するSubframeABSのISSIの比率を示す値（0＜α＜1）である。例えば、Pico  eNB20の位置がMacro  eNB10に近い場合、SubframeNormalのISSIに対するSubframeABSのISSIの比率は小さくなるため、αは小さくなる。一方、Pico  eNB20の位置がMacro  eNB10から遠い場合、SubframeNormalのISSIに対するSubframeABSのISSIは1に近づくため、αは大きくなる。αの決定方法の例については後述する（B-2）。
【００８５】
数式７より、以下の関係式が成り立つ。
【００８６】
【数８】
2013118409.tif 000010
【００８７】
そのため、以下の関係式が成り立つ。
【００８８】
【数９】
2013118409.tif 000011
【００８９】
すなわち、以下の関係式が成り立つ。
【００９０】
【数１０】
2013118409.tif 000012
【００９１】
同様に、以下の関係式が成り立つ。
【００９２】
【数１１】
2013118409.tif 000013
【００９３】
ここで、Pico  eNB20においては、Macro  cellにおけるABS率rを記憶部22に記憶し管理している。
【００９４】
そのため、Pico  eNB20は、あとは、α、すなわちSubframeNormalのISSIに対するSubframeABSのISSIの比さえ分かれば、UE30-1から報告されたCQI値をSINR値に変換した上で、上記補正を行い、2つのCQI値にすることで、Rel-10のUEと同様に、Rel-8/9のUE30-1に対しても、Macro  Cellからの干渉の小さなSubframe（SubframeABS）に、Modulation  SchemeやCoding  Rateを含む最適な下り信号の無線リソースの割り当てを行うことが可能になる。
【００９５】
（B-2-1）αの決定方法の例1
まず、Pico  eNB20の制御部23は、Macro  eNB10のNormal  SubframeとABSの送信電力、または、Macro  eNB10からのNormal  SubframeとABSの受信電力の情報を取得する。
【００９６】
例えば、制御部23は、X2インターフェースを用いて、Macro  eNB10からNormal  SubframeとABSの送信電力の情報を通知してもらう。
【００９７】
または、制御部23は、Macro  eNB10からのNormal  SubframeとABSの受信電力を自らで測定する。例えば、制御部23は、Pico  cell内のUEに上り送信を割り当てない時間領域（無線フレーム）を用意し、その時間領域でMacro  eNB10からのNormal  SubframeとABSの受信電力を測定する。
【００９８】
さらに、制御部23は、Pico  Cellに在圏する任意のUEに対して、Macro  CellからのNormal  SubframeとABSの受信電力、あるいは受信電力の含まれる測定値を測定させ、Pico  eNB20に報告させることで、Macro  eNB10からの受信電力の情報を取得することもできる。例えば、Pico  eNB20に在圏するRel-10のUEが測定するNormal  SubframeとABSのCQIの中には、Macro  eNB10からの受信電力の情報が含まれている。そのため、Pico  eNB20に在圏するRel-10のUEにNormal  SubframeとABSのCQI値を報告させることで、Macro  CellからのNormal  SubframeとABSの受信電力を推定することができる。
【００９９】
次に、制御部23は、Macro  eNB10のNormal  SubframeとABSの送信電力、または、Macro  eNB10からのNormal  SubframeとABSの受信電力の情報を基にαを求め、記憶部22に記憶させる。具体的には、制御部23は、上記のMacro  eNB10のNormal  SubframeとABSの電力の情報を基に、Normal  Subframeの電力に対するABSの電力の比をαとして、記憶部22に記憶させる。
【０１００】
なお、αは定期的、あるいは不定期に更新し、その都度記憶部22に記憶させておく。更新周期に制限はない。
【０１０１】
（B-2-2）αの決定方法の例2
制御部23は、定数としてのαを予め算出、あるいは設定し、記憶部22に記憶させておく。具体的には、例えば、一般的な下り信号の1Subframe内の全無線リソースとPDSCHの無線リソースとの比をβとすると、
α  =  1-β
と近似することができる。
【０１０２】
（B-3）αの適用
制御部23は、（B-2-1）、または(B-2-2)で決定したαをCQI値の補正に用いる。具体的には(B-1)の数式１０、数式１１に適用する。
【０１０３】
なお、αを適用する際に、αに固定、あるいは可変の係数を乗じてから適用することも可能である。あるいは、αに対して丸め処理を行ってから適用することも可能である。例としては、αの最小値を0.1として丸め処理を行う方法が挙げられる。
【０１０４】
以上、Pico  eNB20におけるSINR値の補正方法について述べたが、Macro  eNB10においても同様の補正方法が利用できる。
【０１０５】
なお、一般的に知られている、UEから報告されたCQI値を下り信号の受信成功/不成功に応じてOuter  Loop的に補正する場合には、Normal  SubframeのCQI値に対しては、(B-1)の数式１０を適用した上でNormal  Subframeの下り信号の受信成功/不成功に応じて、Normal  SubframeのCQI値をOuter  Loop的に補正する。
【０１０６】
一方、ABSのCQI値に対しては、(B-1)の数式１１を適用した上でABSの下り信号の受信成功/不成功に応じて、ABSのCQI値をOuter  Loop的に補正する。
【０１０７】
以下、上述したCQI値の補正方法を用いた、ダウンリンクのスケジューリングの動作について、図１１を参照して説明する。
【０１０８】
ABSに非対応のRel-8/9のUE30-1,30-2は、ダウンリンクのリファレンス信号（ＲＳ：  Reference  Signal）を受信する（ステップＳ１）。
【０１０９】
UE30-1,30-2は、受信したリファレンス信号に基づき、CQIを算出する（ステップＳ２）。
【０１１０】
UE30-1,30-2は、Macro  eNB10またはPico  eNB20に、アップリンク制御チャネル(PUCCH)またはアップリンク共有チャネル（PUSCH）を用いて、算出したCQIの値を報告する（CQI  report）（ステップＳ３）。
【０１１１】
Macro  eNB10またはPico  eNB20は、UE30-1,30-2からCQI値を受信した場合、UE30-1,30-2がABSに非対応のRel-8/9のUE（CQI測定を行うSubframeを2種類指定できないUE）であれば、そのCQI値を2種類に補正する（ステップＳ４）。なお、上述した実施形態に記載された補正方法を実施する。
【０１１２】
また、Macro  eNB10またはPico  eNB20は、受信したCQIに基づいて、リソースブロック（ＲＢ：Resource  Block）単位でUEにダウンリンクのリソースを割当てる。リソースを割当てるための制御情報は、ダウンリンクのL1/l2制御情報としてダウンリンク共用チャネル（PDSCH）にて送信される（ステップＳ５）。
【０１１３】
Macro  eNB10またはPico  eNB20は、割り当てられたダウンリンクのリソースを用いて、ダウンリンクのデータをUE30-1,30-2に送信する（ステップＳ６）。
【０１１４】
UE30-1,30-2は、Macro  eNB10またはPico  eNB20に、アップリンク制御チャネル(PUCCH)またはアップリンク共有チャネル（PUSCH）を用いて、データ受信の成功/不成功（再送要求）を報告する（ACK/NACK）（ステップＳ７）。
【０１１５】
上述したように本実施形態においては、Pico  eNB20は、CQI測定を行うSubframeを2種類指定できないRel-8/9のUEからCQI値を受信した場合、そのCQI値に対して補正を行い、2つのCQI値にする。それにより、CQI測定を行うSubframeを2種類指定可能なRel-10のUEと同様に、Macro  Cellからの干渉の小さなSubframeに、Modulation  SchemeやCoding  Rateを含む最適な下り信号の無線リソースの割り当てを行うことが可能になる。
【０１１６】
同様にMacroo  eNB10は、CQI測定を行うSubframeを2種類指定できないRel-8/9のUEからCQI値を受信した場合、そのCQI値に対して補正を行い、2つのCQI値にする。それにより、CQI測定を行うSubframeを2種類指定可能なRel-10のUEと同様に、Pico  Cellからの干渉の小さなSubframeに、Modulation  SchemeやCoding  Rateを含む最適な下り信号の無線リソースの割り当てを行うことが可能になる。
【０１１７】
そのため、CQI測定を行うSubframeを2種類指定可能なRel-10以降のUEと、CQI測定を行うSubframeを2種類指定できないRel-8/9のUEと、が混在していても、Rel-8/9のUEがPico  CellやMacro  Cellの下り信号の無線リソースをRel-10以降のUEより多く消費し、無線通信システムの容量が減少してしまうことを回避することができる。
【０１１８】
以上、実施形態を参照して本発明を説明したが、本発明は上記実施形態に限定されるものではない。本発明の構成や詳細には、本発明の範囲内で当業者が理解し得る様々な変更をすることができる。
【０１１９】
本出願は、２０１２年２月１０日に出願された日本出願特願２０１２−２７１５７を基礎とする優先権を主張し、その開示の全てをここに取り込む。
【図１】
2013118409.tif 000014
【図２】
2013118409.tif 000015
【図３】
2013118409.tif 000016
【図４】
2013118409.tif 000017
【図５】
2013118409.tif 000018
【図６】
2013118409.tif 000019
【図７】
2013118409.tif 000020
【図８】
2013118409.tif 000021
【図９】
2013118409.tif 000022
【図１０】
2013118409.tif 000023
【図１１】
2013118409.tif 000024
【手続補正書】
【提出日】平成26年8月4日(2014.8.4)
【手続補正１】
【補正対象書類名】図面
【補正対象項目名】図６
【補正方法】変更
【補正の内容】
【図６】
2013118409.tif 000025
【国際調査報告】
2013118409.tif 000026
2013118409.tif 000027
2013118409.tif 000028